(57)【要約】【課題】カメラを搭載した携帯電話機のメモリに記録されている画像データを外部の画像記録装置の記録媒体に簡単に転送できる画像転送システムを提供する。【解決手段】携帯電話機１の音声出力端子１５とＤＶＤレコーダ２の音声入力端子２１とをケーブル３で接続される。電話機１は、メモリ１２からデジタルデータとして読み出した画像データを２つの群に分離する転送データ分離回路１３と、その各群に属するデータを音声帯域での２つの周波数それぞれに対応した信号に変換する転送データ信号生成回路１４と、を備え、その各周波数の信号を出力端子１５から送り出す。レコーダ２は、入力端子２１が受け取った各周波数の信号を各周波数それぞれに対応した群に属するデータに逆変換する転送データ信号復元回路２２と、その各群に属するデータを１つのデジタルデータに統合する転送データ復号回路２３と、を備え、そのデジタルデータをＤＶＤ２５に記録する。【選択図】図１
2007251302.tif 000002
【特許請求の範囲】
【請求項１】
カメラを搭載した携帯電話機のメモリに記録されている画像データを外部のＤＶＤレコーダのＤＶＤに転送する画像転送システムであって、
前記携帯電話機が備える音声出力端子と前記ＤＶＤレコーダが備える音声入力端子とをケーブルで接続され、
前記携帯電話機は、
前記メモリからデジタルデータとして読み出した前記画像データを２つの群に分離する分離手段と、
この分離手段で分離した各群に属するデータを音声帯域での互いに異なる２［ｋＨｚ］、１０［ｋＨｚ］の周波数それぞれに対応した信号に変換する周波数変換手段と、を備え、
その周波数変換手段で変換した各周波数の信号を前記音声出力端子から前記ケーブルに送り出し、
前記ＤＶＤレコーダは、
前記音声入力端子が受け取った各周波数の信号を各周波数それぞれに対応した群に属するデータに逆変換する逆変換手段と、
この逆変換手段で逆変換した各群に属するデータを１つのデジタルデータに統合する統合手段と、を備え、
その統合手段で統合したデジタルデータを前記ＤＶＤに記録することを特徴とする画像転送システム。
【請求項２】
カメラを搭載した携帯電話機のメモリに記録されている画像データを外部の画像記録装置の記録媒体に転送する画像転送システムであって、
前記携帯電話機が備える音声出力端子と前記画像記録装置が備える音声入力端子とをケーブルで接続され、
前記携帯電話機は、
前記メモリからデジタルデータとして読み出した前記画像データを２つの群に分離する分離手段と、
この分離手段で分離した各群に属するデータを音声帯域での互いに異なる２つの周波数それぞれに対応した信号に変換する周波数変換手段と、を備え、
その周波数変換手段で変換した各周波数の信号を前記音声出力端子から前記ケーブルに送り出し、
前記画像記録装置は、
前記音声入力端子が受け取った各周波数の信号を各周波数それぞれに対応した群に属するデータに逆変換する逆変換手段と、
この逆変換手段で逆変換した各群に属するデータを１つのデジタルデータに統合する統合手段と、を備え、
その統合手段で統合したデジタルデータを前記記録媒体に記録することを特徴とする画像転送システム。
【請求項３】
前記２つの周波数について、一方の周波数が他方の周波数の少なくとも５倍であることを特徴とする請求項２に記載の画像転送システム。
【請求項４】
前記一方の周波数が２［ｋＨｚ］であり、前記他方の周波数が１０［ｋＨｚ］であることを特徴とする請求項３に記載の画像転送システム。
【請求項５】
前記画像記録装置がＤＶＤレコーダであり、前記記録媒体がＤＶＤであることを特徴とする請求項２から４のいずれかに記載の画像転送システム。
【発明の詳細な説明】
【技術分野】
【０００１】
本発明は、カメラを搭載した携帯電話機のメモリに記録されている画像データを外部の画像記録装置の記録媒体に転送する画像転送システムに関する。
【背景技術】
【０００２】
近年の携帯電話機では、デジタルカメラの機能を持つカメラを搭載したものが一般的となっており、そのカメラで風景や人物等を撮影することができる。特に、携帯電話機のカメラは、別個独立のデジタルカメラと比べて、その解像度がやや劣るものの、携帯電話機と共にの携帯性から使用頻度は格段に高く有用である。携帯電話機のカメラで撮影された静止画や動画の画像データは、携帯電話機に内蔵のメモリや着脱可能なメモリカードに記録保存される。
【０００３】
ところで、携帯電話機のカメラで撮影されてそのメモリ（メモリカードを含む）に記録されている画像データについては、携帯電話機の待受け画面等に活用される他、電子メールでの通信により外部の別の携帯電話機に転送されて、その別の携帯電話機で活用される。また、電子メールでの通信により外部のＰＣ（パーソナルコンピュータ）に転送されて、そのＰＣに内蔵のＨＤ（ハードディスク）や着脱可能なＤＶＤ（Digital Versatile Disk）等の記録媒体に記録され、電子アルバムに編集されて活用される。
【０００４】
ここで、携帯電話機のメモリに記録されている画像データを電子アルバムに活用しようとするときには、上記したように、電子メールでの通信により携帯電話機のメモリからＰＣに画像データを転送して、そのＰＣで行うわけであるが、電子メールによる転送を用いないで行う場合は、以下のようにして携帯電話機のメモリから画像データが転送される（例えば特許文献１参照）。
【０００５】
例えば、ＰＣにカードスロットが搭載されていれば、そのカードスロットに、携帯電話機から取り外したメモリカードを直接又はカードアダプタを介して装着し、これにより、そのメモリカードからＰＣに画像データが転送される。また、ＰＣが備えるＵＳＢ（Universal Serial Bus）端子にカードリーダを接続し、そのカードリーダに、携帯電話機から取り外したメモリカードを装着し、これにより、そのメモリカードからＰＣに画像データが転送される。
【０００６】
また、携帯電話機に専用のＵＳＢ端子を設けた上で、そのＵＳＢ端子とＰＣのＵＳＢ端子とをＵＳＢケーブルで接続し、これにより、そのＵＳＢケーブルを介して携帯電話機のメモリからＰＣに画像データが転送される。
【特許文献１】特開２０００−２８５６６１号公報
【発明の開示】
【発明が解決しようとする課題】
【０００７】
しかし、携帯電話機のメモリに記録されている画像データを電子メールによる転送を用いないで電子アルバムに活用しようとするとき、上記したメモリカードによる画像転送手法では、携帯電話機側でメモリカードをいちいち取り外さなければならないし、ＰＣ側でそのメモリカードを装着するカードスロットやカードリーダが必要となる。もっともこの手法は、メモリカードを持たない携帯電話機の場合はそもそも成り立たない。
【０００８】
また、上記したＵＳＢケーブルを介しての画像転送手法では、携帯電話機に一般には無いＵＳＢ端子を新たに設ける必要がある。しかもこの手法は、画像データの転送先、すなわち画像データを電子アルバムに編集する機器が、ＵＳＢ端子を通常備えるＰＣの場合にはそのまま適用できるが、ＤＶＤレコーダやＨＤレコーダ等といったような画像記録装置の場合には、ＵＳＢ端子を通常持たないため新たに設ける必要がある。
【０００９】
なお、画像データの転送先がＤＶＤレコーダやＨＤレコーダ等の場合は、通常電子メールでの通信機能を持たないため、電子メールによる画像データの転送はそもそも不可能である。
【００１０】
そこで本発明は、上記の問題に鑑みてなされたものであり、カメラを搭載した携帯電話機のメモリに記録されている画像データを外部の画像記録装置の記録媒体に簡単に転送できる画像転送システムを提供することを目的とするものである。
【課題を解決するための手段】
【００１１】
上記目的を達成するため、本発明による画像転送システムは、カメラを搭載した携帯電話機のメモリに記録されている画像データを外部のＤＶＤレコーダのＤＶＤに転送する画像転送システムであって、次の点を特徴とする。前記携帯電話機が備える音声出力端子と前記ＤＶＤレコーダが備える音声入力端子とをケーブルで接続される。前記携帯電話機は、前記メモリからデジタルデータとして読み出した前記画像データを２つの群に分離する分離手段と、この分離手段で分離した各群に属するデータを音声帯域での互いに異なる２［ｋＨｚ］、１０［ｋＨｚ］の周波数それぞれに対応した信号に変換する周波数変換手段と、を備え、その周波数変換手段で変換した各周波数の信号を前記音声出力端子から前記ケーブルに送り出す。そして、前記ＤＶＤレコーダは、前記音声入力端子が受け取った各周波数の信号を各周波数それぞれに対応した群に属するデータに逆変換する逆変換手段と、この逆変換手段で逆変換した各群に属するデータを１つのデジタルデータに統合する統合手段と、を備え、その統合手段で統合したデジタルデータを前記ＤＶＤに記録する。
【００１２】
これにより、携帯電話機が通常備える音声出力端子、ＤＶＤレコーダが通常備える音声入力端子を利用して、携帯電話機のメモリに記録されている画像データを外部のＤＶＤレコーダに転送することができる。しかも、携帯電話機の音声出力端子とＤＶＤレコーダの音声入力端子とをケーブルで接続することで簡単に行える。
【００１３】
また、上記目的を達成するための本発明による画像転送システムは、カメラを搭載した携帯電話機のメモリに記録されている画像データを外部の画像記録装置の記録媒体に転送する画像転送システムであって、前記携帯電話機が備える音声出力端子と前記画像記録装置が備える音声入力端子とをケーブルで接続される。前記携帯電話機は、前記メモリからデジタルデータとして読み出した前記画像データを２つの群に分離する分離手段と、この分離手段で分離した各群に属するデータを音声帯域での互いに異なる２つの周波数それぞれに対応した信号に変換する周波数変換手段と、を備え、その周波数変換手段で変換した各周波数の信号を前記音声出力端子から前記ケーブルに送り出す。そして、前記画像記録装置は、前記音声入力端子が受け取った各周波数の信号を各周波数それぞれに対応した群に属するデータに逆変換する逆変換手段と、この逆変換手段で逆変換した各群に属するデータを１つのデジタルデータに統合する統合手段と、を備え、その統合手段で統合したデジタルデータを前記記録媒体に記録する。
【００１４】
これにより、携帯電話機が通常備える音声出力端子、画像記録装置が通常備える音声入力端子を利用して、携帯電話機のメモリに記録されている画像データを外部の画像記録装置に転送することができる。しかも、携帯電話機の音声出力端子と画像記録装置の音声入力端子とをケーブルで接続することで簡単に行える。
【００１５】
ここで、前記２つの周波数について、両者の混信を防止する観点から、一方の周波数が他方の周波数の少なくとも５倍であることが望ましい。例えば、前記一方の周波数が２［ｋＨｚ］であり、前記他方の周波数が１０［ｋＨｚ］であるとよい。
【００１６】
また、実用的には、前記画像記録装置がＤＶＤレコーダであり、前記記録媒体がＤＶＤであることが好ましい。
【発明の効果】
【００１７】
本発明の画像転送システムによれば、カメラを搭載した携帯電話機のメモリに記録されている画像データを外部の画像記録装置の記録媒体に簡単に転送できる。
【発明を実施するための最良の形態】
【００１８】
以下に、本発明の画像転送システムの一実施形態について、図面を参照しながら詳述する。図１は本発明の一実施形態である画像転送システムの概略構成を示すブロック図である。なお、図１では本発明の特徴にまつわる構成を主体に図示しており、本発明の特徴に直接関与しない一般的な構成については、図示を省略するとともに、その説明も適宜省略する。
【００１９】
図１に示すように、本実施形態の画像転送システムは、大きくは、携帯電話機１と、ＤＶＤレコーダ２と、これらの両者を接続するケーブル３と、より構成される。
【００２０】
先ず、携帯電話機１は、通話や電子メール通信といったような本質的な機能の他に、デジタルカメラのような撮影機能を持ち、カメラを搭載している。ここでの携帯電話機１は、撮像素子１１、メモリ１２、転送データ分離回路１３、転送データ信号生成回路１４、音声出力端子１５、及び機器全体の動作を制御する制御部１６を含む。
【００２１】
撮像素子１１は、携帯電話機１での撮影機能を果たすものであり、光学系を通じて撮像面に投影された風景や人物等の像を光電変換して電気信号に変換する。この撮像素子１１としては、ＣＭＯＳ（Complementary Metal Oxide Semiconductor）イメージセンサやＣＣＤ（Charge Coupled Devices）イメージセンサ等が例示される。撮像素子１１からの出力信号は、信号処理回路で処理されて、静止画や動画の画像データとしてメモリ１２に記録される。
【００２２】
メモリ１２は、撮影した静止画や動画の画像データを記録保存するものである。このメモリ１２には、携帯電話機１に内蔵されたフラッシュメモリや、着脱可能なメモリカードが含まれる。
【００２３】
転送データ分離回路１３は、メモリ１２に記録されている画像データをＤＶＤレコーダ２に転送する際に機能するものであって、メモリから読み出された転送対象の画像データをデジタルデータで受け取り、このデジタルデータを２値化する。つまり、画像データに基づくデジタルデータを２つの群（グループ）に分離する。
【００２４】
転送データ信号生成回路１４は、転送データ分離回路１３と同様、メモリ１２に記録されている画像データをＤＶＤレコーダ２に転送する際に機能するものであって、転送データ分離回路１３より２つの群に属するデータを受け取り、各群に属するデータをそれぞれに対応する周波数の信号に変換する。つまり、転送対象の画像データに基づいた、各群に属するデータに対応した周波数の信号を生成する。ここでの周波数には、音声帯域（５００［Ｈｚ］〜１０［ｋＨｚ］程度）のうちから互いに異なる２つの周波数が設定される。２つの周波数の値は、音声帯域から選択される限り限定は無いが、両者の混信を防止する観点から、一方の周波数が他方の周波数の少なくとも５倍であることが望ましい。本実施形態では、一方の周波数が２［ｋＨｚ］に、他方の周波数が１０［ｋＨｚ］にそれぞれ設定される。
【００２５】
音声出力端子１５は、携帯電話機１が通常備える音声信号出力のためのいわゆるイヤホン端子である。但し、ここでの音声出力端子１５は、その音声出力端子１５にイヤホンやヘッドホンが接続された際に、一般的な音声データに基づく音声信号をイヤホン等に送り出すことの他に、その音声出力端子１５とＤＶＤレコーダ２の音声入力端子２１とをケーブル３で接続されて、メモリ１２に記録されている画像データをＤＶＤレコーダ２に転送する際にも機能するものであって、転送データ信号生成回路１４からの各周波数の信号（本実施形態では、２［ｋＨｚ］の周波数信号と１０［ｋＨｚ］の周波数信号）、すなわち転送対象の画像データに基づいた信号をケーブル３に送り出す。その送出速度は、２０［ｋｂｐｓ］程度である。
【００２６】
一方、ＤＶＤレコーダ２は、記録媒体として着脱可能なＤＶＤ２５を用いる画像記録装置であって、テレビジョン放送を通じて受信した放送番組をＤＶＤ２５に録画して再生したり、別の画像記録装置で画像データが記録されたＤＶＤ２５を装着して再生したりする機能の他に、ＤＶＤ２５に記録されている画像データを電子アルバムに編集する機能も持つ。ここでのＤＶＤレコーダ２は、音声入力端子２１、転送データ信号復元回路２２、転送データ復号回路２３、ＤＶＤドライブ２４、ＤＶＤ２５、及び装置全体の動作を制御する制御部２６を含む。
【００２７】
音声入力端子２１は、ＤＶＤレコーダ２が通常備える音声信号入力のための端子である。但し、ここでの音声入力端子２１は、その音声入力端子２１に音声出力機器からのケーブルが接続された際に、音声出力機器から一般的な音声データに基づく音声信号を受け取ることの他に、その音声入力端子２１と携帯電話機１の音声出力端子１５とをケーブル３で接続されて、携帯電話機１のメモリ１２に記録されている画像データをＤＶＤレコーダ２に転送する際にも機能するものであって、携帯電話機１の音声出力端子１５からの各周波数の信号（本実施形態では、２［ｋＨｚ］の周波数信号と１０［ｋＨｚ］の周波数信号）、すなわち転送対象の画像データに基づいた信号を受け取る。
【００２８】
転送データ信号復元回路２２は、携帯電話機１のメモリ１２に記録されている画像データをＤＶＤレコーダ２に転送する際に機能するものであって、音声入力端子２１より入力された２つの周波数の信号を受け取り、各周波数の信号をそれぞれに対応する群に属するデータに逆変換する。つまりここでは、携帯電話機１の転送データ信号生成回路１４と丁度逆の処理がなされ、転送対象の画像データに基づいた、２つの群に属するデータが復元される。
【００２９】
転送データ復号回路２３は、転送データ信号復元回路２２と同様、携帯電話機１のメモリ１２に記録されている画像データをＤＶＤレコーダ２に転送する際に機能するものであって、転送データ信号復元回路２２より復元された２つの群に属するデータを受け取り、各群に属するデータを１つのデジタルデータに統合する。つまりここでは、携帯電話機１の転送データ分離回路１３と丁度逆の処理がなされ、転送対象の画像データに基づくデジタルデータに復号される。
【００３０】
ＤＶＤドライブ２４は、装着されたＤＶＤ２５に対して画像データや音声データ等の書込みや読取りを行うものである。ここでのＤＶＤドライブ２４は、携帯電話機１のメモリ１２に記録されている画像データをＤＶＤレコーダ２に転送する際、転送データ復号回路２３より復号された転送対象の画像データに基づくデジタルデータを受け取り、そのデジタルデータをＤＶＤ２５に書き込んで記録する。
【００３１】
続いて、このような構成の画像転送システムにおいて、携帯電話機１のメモリ１２に記録されている画像データをＤＶＤレコーダ２で電子アルバムに活用しようとして、その画像データを携帯電話機１からＤＶＤレコーダ２へ転送する際、先ず、携帯電話機１の音声出力端子１５とＤＶＤレコーダ２の音声入力端子２１とをケーブル３で接続される。次に、携帯電話機１側では、使用者からの入力操作によって画像転送モードが設定され、これにより転送データ分離回路１３、転送データ信号生成回路１４及び音声出力端子１５が待機状態におかれる。これと合わせて、ＤＶＤレコーダ２側では、使用者からの入力操作によって画像転送モードが設定され、これにより音声入力端子２１、転送データ信号復元回路２２、転送データ復号回路２３及びＤＶＤドライブ２４が待機状態になる。
【００３２】
その後、携帯電話機１側で、使用者からの入力操作により、携帯電話機１のメモリ１２に記録されている画像データのうちから転送対象の画像データが選択され、転送開始の入力操作がなされる。すると、その選択された転送対象の画像データは、携帯電話機１において、転送データ分離回路１３、転送データ信号生成回路１４を順に経て音声帯域の信号に処理され、音声出力端子１５からケーブル３に出力される。そして、携帯電話機１の音声出力端子１５から出力された信号は、ＤＶＤレコーダ２において、ケーブル３を通じて音声入力端子２１に入力され、転送データ信号復元回路２２、転送データ復号回路２３を順に経て転送対象の画像データに再生処理されて、ＤＶＤ２５に記録される。これで、携帯電話機１のメモリ１２からＤＶＤレコーダ２のＤＶＤ２５への画像データの転送が完了し、ＤＶＤレコーダ２で電子アルバムに編集できる。
【００３３】
このような画像転送システムによれば、携帯電話機１、ＤＶＤレコーダ２に既存のＩ／Ｆ（インターフェース）、具体的には、携帯電話機１が通常備える音声出力端子１５、ＤＶＤレコーダ２が通常備える音声入力端子２１を利用して、携帯電話機１のメモリ１２に記録されている画像データを外部のＤＶＤレコーダ２に転送することができる。しかも、携帯電話機１の音声出力端子１５とＤＶＤレコーダ２の音声入力端子２１とをケーブル３で接続することで簡単に行える。
【００３４】
なお、このような画像転送システムでは、携帯電話機１側では、転送データ分離回路１３及び転送データ信号生成回路１４成るものが必要となり、ＤＶＤレコーダ２側では、転送データ信号復元回路２２及び転送データ復号回路２３成るものが必要となるが、ＵＳＢ端子等のＩ／Ｆを新たに設ける場合と比較して、格段に安価に実現できる。
【００３５】
その他本発明は上記の実施形態に限定されず、本発明の趣旨を逸脱しない範囲で、種々の変更が可能である。例えば、画像データの転送先、すなわち画像データを電子アルバムに編集する機器としては、記録媒体としてＤＶＤを用いるＤＶＤレコーダに限定されるわけではなく、記録媒体としてＨＤを用いるＨＤレコーダや、ＤＶＤレコーダとＨＤレコーダとを一体化した複合機や、ＰＣ等といったような音声入力端子を備える画像記録装置にも適用できる。
【産業上の利用可能性】
【００３６】
本発明は、カメラを搭載した携帯電話機から外部の画像記録装置へ画像データを転送する画像転送システムに有用である。
【図面の簡単な説明】
【００３７】
【図１】本発明の一実施形態である画像転送システムの概略構成を示すブロック図である。
【符号の説明】
【００３８】
１    携帯電話機
２    ＤＶＤレコーダ（画像記録装置）
３    ケーブル
１１    撮像素子
１２    メモリ
１３    転送データ分離回路
１４    転送データ信号生成回路
１５    音声出力端子
１６    制御部
２１    音声入力端子
２２    転送データ信号復元回路
２３    転送データ復号回路
２４    ＤＶＤドライブ
２５    ＤＶＤ（記録媒体）
２６    制御部
【図１】
2007251302.tif 000003